(57)【要約】【課題】  製造時，搬送時，施工時及び施工後においても割れや欠けが生ずることなく、且つ、強固に敷設することができ耐風性に優れた新規な屋根瓦を提供する。【解決手段】  尻部１０ｄ側上に頭部１０ｃ側が位置するよう重ね合わされるように軒側から棟側に亘って敷設されるとともに、裏面には、野地板等の下地材Ｕの上面に固定された桟木Ｗに掛合する掛合部１０ｇが形成されてなるとともに、釘，ネジ等の固定具Ｎにより固定される屋根瓦１０であって、上記掛合部１０ｇの形成位置よりもやや頭部１０ｃ側には、上記桟木Ｗに打ち込まれ又はねじ込まれる固定具Ｎが挿通される第１の挿通孔１０ｈが形成されてなるとともに、少なくとも一側には隣に敷設される屋根瓦の他側側が重ね合わされる薄肉部１０ａが形成され、この薄肉部１０ａには、上記固定具Ｎが挿通される第２の挿通孔１０ｉが形成され、該挿通孔１０ｉは、上記第１の挿通孔１０ｈの形成位置よりも頭部１０ｃ側である。【選択図】  図３
2006083563.tif 000002
【特許請求の範囲】
【請求項１】
尻部側上に頭部側が位置するよう重ね合わされるように軒側から棟側に亘って敷設されるとともに、裏面には、野地板等の下地材の上面に固定された桟木に掛合する掛合部が形成されてなるとともに、釘，ネジ等の固定具により固定される屋根瓦であって、
上記掛合部の形成位置よりもやや頭部側には、上記桟木に打ち込まれ又はねじ込まれる固定具が挿通される第１の挿通孔が形成されてなるとともに、
少なくとも一側には隣に敷設される屋根瓦の他側側が重ね合わされる薄肉部が形成され、この薄肉部には、上記固定具が挿通される第２の挿通孔が形成され、該挿通孔は、上記第１の挿通孔の形成位置よりも頭部側であることを特徴とする屋根瓦。
【請求項２】
前記請求項１記載の屋根瓦において、他側には、隣に敷設される屋根瓦の一側に形成された前記薄肉部上に重ねられる第２の薄肉部が形成されてなるとともに、前記挿通孔は、上記第２の薄肉部側に形成されてなることを特徴とする屋根瓦。
【請求項３】
前記請求項１又は２記載の屋根瓦において、前記薄肉部には、下面が該薄肉部の下面よりも下方に形成された段差部が形成され、この段差部の中央に前記第２挿通孔が形成されてなることを特徴とする屋根瓦。
【請求項４】
尻部側上に頭部側が位置するよう重ね合わされるように軒側から棟側に亘ってそれぞれ敷設されるとともに、裏面には、野地板等の下地材の上面に固定された桟木に掛合する掛合部が形成されてなるとともに、釘，ネジ等の固定具により固定される屋根瓦の固定構造であって、
上記掛合部に掛合する桟木と桟木との間に第２の桟木を固定するとともに、
前記請求項１，２又は３記載の屋根瓦は、前記挿通孔に挿通され上記桟木に打ち込まれ又はねじ込まれた固定具により固定されてなるとともに、前記第２の挿通孔に挿通され上記第２の桟木に打ち込まれ又はねじ込まれた固定具により固定されてなることを特徴とする屋根瓦の固定構造。
【発明の詳細な説明】
【技術分野】
【０００１】
本発明は、屋根に敷設される屋根瓦に関し、特に、野地板等の下地材の上面に固定された桟木に対して掛合した状態で敷設される屋根瓦に関するものである。
【背景技術】
【０００２】
従来、屋根瓦は、所謂日本瓦であろうと洋風瓦であろうと、軒側に敷設された屋根瓦の尻部（棟側の端部）側上に頭部（軒側の端部）が重なり合わせられるように軒側から棟側に順次敷設される。そして、こうした屋根瓦が敷設される屋根には、野地板等の下地材上に軒及び棟の方向と平行して多数の桟木が固定され、これらの桟木に屋根瓦を掛合させながら敷設される。
【０００３】
ところで、屋根瓦は、これまで強風により位置ずれを生ずる場合があり、こうした耐風性能を向上させる屋根瓦が提案されている（特許文献１，２参照）。これらの屋根瓦は、基本的に屋根瓦に凸部と、この凸部に係合する係合部をそれぞれ形成し、耐風性能を向上させようとするものである。
【特許文献１】特開２００１−４０８２１号公報
【特許文献２】特開２００２−８８９８０号公報
【発明の開示】
【発明が解決しようとする課題】
【０００４】
しかしながら、上述した従来の屋根瓦では、製造時，搬送時，施工時において、さらには施工後における地震等の発生により、上記凸部が割れたり欠けたりする場合が多い。特に、地震等の発生により施工後に割れてしまった場合には、耐風性能が著しく低減することとなり、強風の発生により敷設された屋根瓦が位置ずれを生じたりめくれてしまったりする危険性がある。
【０００５】
そこで、本発明は、上述した従来の屋根瓦が有する課題を解決するために提案されたものであって、製造時，搬送時，施工時及び施工後においても割れや欠けが生ずることなく、且つ、強固に敷設することができ耐風性に優れた新規な屋根瓦を提供することを目的とするものである。
【課題を解決するための手段】
【０００６】
本発明は上記課題を解決するために提案されたものであって、第１の発明（請求項１記載の発明）は、尻部側上に頭部側が位置するよう重ね合わされるように軒側から棟側に亘って敷設されるとともに、裏面には、野地板等の下地材の上面に固定された桟木に掛合する掛合部が形成されてなるとともに、釘，ネジ等の固定具により固定される屋根瓦であって、上記掛合部の形成位置よりもやや頭部側には、上記桟木に打ち込まれ又はねじ込まれる固定具が挿通される第１の挿通孔が形成されてなるとともに、少なくとも一側には隣に敷設される屋根瓦の他側側が重ね合わされる薄肉部が形成され、この薄肉部には、上記固定具が挿通される第２の挿通孔が形成され、該挿通孔は、上記第１の挿通孔の形成位置よりも頭部側であることを特徴とするものである。
【０００７】
なお、この発明に係る屋根瓦の素材は、これまで多用されているセラミック素材に限定されるものではなく、コンクリートや樹脂等の素材であっても良い。また、この第１の発明では、薄肉部は、少なくとも一側に形成されていれば足り、後述する請求項２記載の発明のように、他側にも（第２の）薄肉部が形成されている必要はない。また、この第１の発明においては、上述したように、上記薄肉部に第２の挿通孔が形成されている必要があるばかりではなく、この第２の挿通孔は、上記第１の挿通孔の形成位置よりも頭部側に形成されていなければならないが、頭部側は、軒側に敷設される屋根瓦の尻部側上に重なり合わさられることから、該第２の挿通孔の形成位置は、軒側に敷設される屋根瓦の尻部側と重ならない部位とする必要がある。
【０００８】
また、第２の発明（請求項２記載の発明）は、上記第１の発明において、他側には、隣に敷設される屋根瓦の一側に形成された前記薄肉部上に重ねられる第２の薄肉部が形成されてなるとともに、前記挿通孔は、上記第２の薄肉部側に形成されてなることを特徴とするものである。
【０００９】
なお、この第２発明を構成する挿通孔は、上記第２の薄肉部側に形成されていなければならないが、この挿通孔が複数形成されている場合には、そのうちの１つの挿通孔が第２の薄肉部側に形成されていれば良い。また、上記挿通孔の角度は、傾斜して敷設された下地材に対して垂直であるものばかりではなく、該挿通孔と下地材との間で形成される角度が鈍角又は鋭角となるものであっても良い。
【００１０】
また、第３の発明（請求項３記載の発明）は、上記第１の発明又は第２の発明において、前記薄肉部には、下面が該薄肉部の下面よりも下方に形成された段差部が形成され、この段差部の中央に前記第２挿通孔が形成されてなることを特徴とするものである。
【００１１】
この第３の発明を構成する段差部は、少なくとも下面が薄肉部の下面よりも下方に形成されているものであれば良く、該段差部の周囲全体が囲まれている必要はない。
【００１２】
また、第４の発明（請求項４記載の発明）は、尻部側上に頭部側が位置するよう重ね合わされるように軒側から棟側に亘ってそれぞれ敷設されるとともに、裏面には、野地板等の下地材の上面に固定された桟木に掛合する掛合部が形成されてなるとともに、釘，ネジ等の固定具により固定される屋根瓦の固定構造であって、上記掛合部に掛合する桟木と桟木との間に第２の桟木を固定するとともに、前記請求項１，２又は３記載の屋根瓦は、前記挿通孔に挿通され上記桟木に打ち込まれ又はねじ込まれた固定具により固定されてなるとともに、前記第２の挿通孔に挿通され上記第２の桟木に打ち込まれ又はねじ込まれた固定具により固定されてなることを特徴とするものである。
【００１３】
なお、上記桟木と桟木との間に固定される第２の桟木は、棟や軒の長さ方向と同じ方向に長さを有するものばかりではなく、直交する方向に長さを有するよう固定されたものであっても良い。すなわち、第２の桟木は、桟木と平行に固定されたものばかりではなく、互いに平行に固定された桟木間に垂直に固定されたものであっても良い。
【発明の効果】
【００１４】
第１の発明（請求項１記載の発明）は、掛合部の形成位置よりもやや頭部側には第１の挿通孔が形成され、薄肉部には第１の挿通孔の形成位置よりも頭部側に第２の挿通孔が形成されたものであり、従来の屋根瓦のように、凸部が形成されているものではないことから、製造時，搬送時，施工時及び施工後においても割れや欠けが生ずることなく、且つ、強固に敷設することができ耐風性に優れたものとすることができる。すなわち、この発明によれば、上記第１及び第２の挿通孔からそれぞれ挿通された各固定具により固定されるものであり、上記第１の挿通孔は、掛合部の頭部形成位置よりもやや側（尻部側）に、また、第２の挿通孔は、第１の挿通孔の形成位置よりも頭部側であることから、頭部側から強風等により上方に力が作用した場合（めくれる方向に力が作用した場合）であっても、安定的な固定状態を維持することができ、また、地震等が発生した場合であっても位置ずれや脱落を有効に防止することができる。
【００１５】
また、第２の発明（請求項２記載の発明）では、他側には、隣に敷設される屋根瓦の一側に形成された前記薄肉部上に重ねられる第２の薄肉部が形成されてなるとともに、前記挿通孔は、上記第２の薄肉部側に形成されてなることから、上記第１の発明と同じように、安定的な固定状態を維持することができる。特に、上記第２の薄肉部側に形成された挿通孔が単一であり、第２の挿通孔も単一である場合（挿通孔と第２の挿通孔とがそれぞれ１つ形成されている場合）には、合計２つの固定具を用いるだけで安定的な固定状態を維持することができる屋根瓦とすることができる。
【００１６】
また、第３の発明（請求項３記載の発明）では、前記薄肉部には、下面が該薄肉部の下面よりも下方に形成された段差部が形成され、この段差部の中央に前記第２挿通孔が形成されてなることから、この第２の挿通孔に挿通される固定具をより長く下地材に打ち込み又はねじ込むことが可能となり一層安定的な固定状態を維持することができる屋根瓦とすることができる。
【００１７】
また、第４の発明（請求項４記載の発明）に係る屋根瓦の固定構造では、掛合部に掛合する桟木と桟木との間に第２の桟木を固定するとともに、第２の挿通孔に挿通された固定具をこの第２の桟木に打ち込み又はねじ込むことにより前記第１，第２又は第３の発明に係る屋根瓦を固定するものであることから、より一層安定的に屋根瓦を固定することができる。
【発明を実施するための最良の形態】
【００１８】
以下、本発明の各実施の形態に係る屋根瓦又は屋根瓦の固定構造について、それぞれ図面を参照しながら詳細に説明する。
【００１９】
先ず、第１の実施の形態に係る屋根瓦１０及びこの屋根瓦の固定構造について詳細に説明する。この屋根瓦１０は、従来のセラミックスが素材とされてなるとともに図示しない金型により一体成形されてなるものであり、頭部１０ｃ側の端面の下方には、下端が軒側に敷設された屋根瓦１０の上面に当接する頭部側突条１０ｅが形成され、尻部１０ｄ側の端面の下方には、桟木Ｗの側面に棟側から掛合する掛合部１０ｇが形成されている。そして、この屋根瓦１０の一側には、図２又は図３に示すように、一方の薄肉部１０ａが形成され、他側には隣に敷設される屋根瓦１０に形成された一方の薄肉部１０ａが上方から重なり合わせられる他方の薄肉部１０ｂが形成されている。また、上記掛合部１０ｇの形成位置よりも僅かに頭部１０ｃ側には、桟木Ｗに打ち込まれる釘Ｎが挿通される第１の挿通孔１０ｈが形成されている。なお、この屋根瓦１０においては、上記第１の挿通孔は、図１に示すように、棟側に敷設される屋根瓦１０の頭部１０ｃ側か重ね合わされる部位であるばかりではなく、図３に示すように、上記他方の薄肉部１０ｂ側に近接した位置に１つ形成されている。また、上記一方の薄肉部１０ａであってやや頭部１０ｃ側には、下地材Ｕに打ち込まれる釘Ｎが挿通される第２の挿通孔１０ｉが形成されている。なお、この第２の挿通孔１０ｉは、上記釘Ｎの軸部（符号は省略する。）が挿通される部位ばかりではなく、皿状の頭部（符号は省略する。）が収容される大径状の凹部（符号は省略する。）も形成されている。
【００２０】
この第１の実施の形態に係る屋根瓦１０では、上記桟木Ｗに下面が当接し支持されている部位において上記第１の挿通孔１０ｈに挿通される釘Ｎにより固定されているばかりではなく、この第１の挿通孔１０ｈの形成位置よりも頭部１０ｃ側に形成された第２挿通孔１０ｉに挿通される釘Ｎにより固定されるものであることから、安定した固定状態を実現することができる。なお、この第１の実施の形態に係る屋根瓦１０においては、上記第２の挿通孔１０ｉに対応した位置であって、図１に示す中央の屋根瓦１０の下方に示されるように、上記桟木Ｗに対して平行に他の桟木Ｗ１を固定し、この他の桟木Ｗ１に上記釘Ｎを打ち込むことにより該屋根瓦１０を固定するようにしても良い。このように、他の桟木Ｗ１に釘Ｎを打ち込むことによる屋根瓦１０の固定構造によれば、屋根瓦１０は、掛合部１０ｇの形成位置よりやや頭部１０ｃ側において当接するとともに、該第１の当接部から頭部１０ｃ側に形成され他の桟木Ｗ１の上面に下面が当接するとともに、上記第２の挿通孔１０ｉの形成位置は、第１の挿通孔１０ｈの形成位置よりも頭部１０ｃ側であることから、より安定した固定状態を実現することができる。
【００２１】
次に、本発明の第２の実施の形態に係る屋根瓦１１について詳細に説明する。この屋根瓦１１は、上記第１の実施の形態に係る屋根瓦１０において、図５に示すように、上記一方の薄肉部１１ａに、段差部（符号は省略する。）を形成し、この段差部を構成する底板部１１ｊに釘Ｎが挿通される第２の挿通孔１１ｋを形成した所に特徴を有する。すなわち、この段差部は、図４に示すように、上記一方の薄肉部１１ａの下面よりも下方に位置する上記底板部１１ｊと、この底板部１１ｊと一方の薄肉部１１ａに連続してなる３つの連続部１１ｌとから構成され、該底板部１１ｊの中央には、上記第２の挿通孔１１ｋが形成されている。なお、この屋根瓦１１においても、前記頭部側突条１１ｅ，掛合部材１１ｇ，他方の薄肉部１１ｂ，第１の挿通孔１１ｈが形成されている。そして、こうした構成に係る屋根瓦１１による場合であっても、上記第１の実施の形態に係る屋根瓦１０と同じように、安定した固定状態を実現することができる。なお、この第２の実施の形態に係る屋根瓦１１においては、上記底板部１１ｊの下面が下地材Ｕの上面に当接するように成形し、または、この底板部１１ｊの下面に上面が当接する図示しない他の桟木（本発明を構成する第２の桟木）を固定し、この他の桟木の上面に当接・支持されるような固定構造としても良い。こうした屋根瓦又は屋根瓦の固定構造とすることにより、より一層安定した固定状態を実現することができる。
【００２２】
また、上記各実施の形態に係る屋根瓦１０，１１では、それぞれ所謂平瓦（洋瓦）に本発明を適用したものであるが、日本瓦に適用したものであっても良い。図６及び図７は、第３の実施の形態に係る屋根瓦１２を示すものであり、該屋根瓦１２には、図６に示すように、背面形状が波状に成形されてなるものであり、尻部１２ｄの端面の下方には、桟木Ｗに棟側から掛合する掛合部１２ｇが２つ形成されている。これらの掛合部１２ｇは、下方に湾曲した２つの部位の各端部に形成されてなるものであり、一側には、薄肉部１２ａが形成されている。この薄肉部１２ａは、平板状に成形されてなるものであり、図７に示すように、屋根瓦１２の長さよりも僅かに短い長さとなされている。そして、この屋根瓦１２には、図７に示すように、上記桟木Ｗに打ち込まれる釘Ｎが挿通される第１の挿通孔１２ｈが形成されている。この第１の挿通孔１２ｈは、上記２つの掛合部１２ｇのうちの上記薄肉部１２ａが形成された側とは反対側に形成された掛合部１２ｇの形成位置よりもやや頭部１２ｃ側であり且つ他側側に形成されている。また、上記薄肉部１２ａには、図７に示すように、下地材Ｕに打ち込まれる釘Ｎが挿通される第２の挿通孔１２ｉが形成されている。この第２の挿通孔１２ｉは、該薄肉部１２ａのやや頭部１２ｃ側であり、図３に示した挿通孔１０ｉと同じように、釘Ｎの軸部（符号は省略する。）が挿通される部位ばかりではなく、皿状の頭部（符号は省略する。）が収容される大径状の凹部（符号は省略する。）も形成されている。
【００２３】
上記第３の実施の形態に係る屋根瓦１２であっても、該屋根瓦１２は、上記掛合部１２ｇの形成位置よりも僅かに頭部１２ｃ側の下面（第１の当接部）において桟木Ｗの上面に当接し且つ固定され、この第１の当接部から頭部１２ｃ側に離間した上記第２の挿通孔１２ｉの形成位置においても釘Ｎにより固定されることから、やはり安定した固定状態を実現することができる。なお、上記第２の挿通孔１２ｉの形成位置においては、尻部１２ｄ側よりも上方に位置し下地材Ｕの上面から離間することから、該第２の挿通孔１２ｉが形成された位置の下方にも図示しない他の桟木（本発明を構成する第２の桟木）を固定し、この他の桟木により屋根瓦１２を支持するとともに該第２の挿通孔１２ｉに挿通される釘Ｎを該桟木及び下地材Ｕに打ち込むことにより固定する屋根瓦の固定構造としても良い。
【００２４】
このように、上記各実施の形態に係る屋根瓦１０，１１，１２やこうした屋根瓦（符号は省略する。）の固定構造によれば、従来の屋根瓦のように、凸部が形成されているものではないことから、製造時，搬送時，施工時及び施工後においても該凸部の割れや欠けが生ずることなく、且つ、強固に敷設することができ耐風性に優れたものとすることができるとともに、安定した固定状態を実現することができ、頭部側から強風等により上方に力が作用した場合（めくれる方向に力が作用した場合）であっても、また、地震等が発生した場合であっても位置ずれや脱落を有効に防止することができる。
【００２５】
なお、上記各実施の形態に係る屋根瓦１０，１１，１２やこうした屋根瓦（符号は省略する。）の固定構造では、全て釘Ｎにより固定したが、本発明は、必ずしもこうした釘Ｎに限定されるものではなく、例えば図示しないネジを使用しても良いばかりではなく、これら釘Ｎやネジの頭部の下方に軸部に挿通された図示しない緩衝材を介在させた状態で上記屋根瓦を固定しても良い。こうした緩衝材を介在させることにより、地震等の振動が屋根瓦に生じても、その振動によるがたつきの発生をより一層防止することができる。
【図面の簡単な説明】
【００２６】
【図１】本発明の第１の実施の形態に係る屋根瓦の固定状態を示す側面図である。
【図２】本発明の第１の実施の形態に係る屋根瓦の固定状態を示す正面図である。
【図３】本発明の第１の実施の形態に係る屋根瓦の固定状態を示す平面図である。
【図４】本発明の第２の実施の形態に係る屋根瓦の固定状態を示す側面図である。
【図５】本発明の第３の実施の形態に係る屋根瓦を拡大して示す平面図である。
【図６】本発明の第４の実施の形態に係る屋根瓦の固定状態を示す側面図である。
【図７】本発明の第４の実施の形態に係る屋根瓦の固定状態を示す平面図である。
【符号の説明】
【００２７】
１０    屋根瓦
１０ａ    一方の薄肉部
１０ｂ    他方の薄肉部
１０ｃ    頭部
１０ｄ    尻部
１０ｅ    頭部側突条
１０ｇ    掛合部
１０ｈ    第１の挿通孔
１０ｉ    第２の挿通孔
１１    屋根瓦
１１ａ    一方の薄肉部
１１ｂ    他方の薄肉部
１１ｃ    頭部
１１ｄ    尻部
１１ｅ    頭部側突条
１１ｇ    掛合部
１１ｈ    第１の挿通孔
１１ｋ    第２の挿通孔
１２    屋根瓦
１２ａ    一方の薄肉部
１２ｃ    頭部
１２ｄ    尻部
１２ｇ    掛合部
１２ｈ    第１の挿通孔
１２ｉ    第２に挿通孔
Ｗ    桟木
Ｕ    下地材
Ｎ    釘
【図１】
2006083563.tif 000003
【図２】
2006083563.tif 000004
【図３】
2006083563.tif 000005
【図４】
2006083563.tif 000006
【図５】
2006083563.tif 000007
【図６】
2006083563.tif 000008
【図７】
2006083563.tif 000009